(57)【要約】【課題】サルフェーション除去に使用される電流の消耗及び消費が少なく、バッテリー及び構成部品、周辺機器等に付与される負担が軽減され、寿命の延命を図ることができるサルフェーション除去装置を提供する。【解決手段】サルフェーション除去装置１は、通電切換え装置４の切換え動作により、電源２から供給される電流Ａを各バッテリーＢ１，Ｂ２に対して交互に通電し、各バッテリーＢ１，Ｂ２に通電される電流Ａをパルス電流Ｐにして通電する動作と、各バッテリーＢ１，Ｂ２に対する通電を所定時間Ｔ休止する動作を所定周期で何回か繰り返して、正極板Ｂａ、負極板Ｂｂに析出したサルフェーションを除去する。通電切換え時において、電源２から供給されるパルス電流Ｐを各バッテリーＢ１，Ｂ２の両方に対して所定時間ｔ１だけオーバーラップさせて通電する。【選択図】図１
2007213843.tif 000002
【特許請求の範囲】
【請求項１】
電源から供給されるパルス電流を複数の各バッテリーに通電し、該各バッテリーの電極板に析出したサルフェーションを除去するサルフェーション除去装置であって、
上記各バッテリーに対する通電を所定周期で交互に切換えることによって、該各バッテリーに通電される電流をパルス電流として供給する通電切換え手段と、
上記通電切換え手段による切換え動作を制御する制御手段を設け、
上記通電切換え手段の切換え動作によって、上記通電を終了する通電終了側バッテリーと、該通電を開始する通電開始側バッテリーとの両方に対してパルス電流を通電することを特徴とする
サルフェーション除去装置。
【請求項２】
上記各バッテリーを、上記通電切換え手段に対して個々に接続した
請求項１に記載のサルフェーション除去装置。
【請求項３】
上記通電切換え手段による通電切換え時において、上記通電終了側バッテリーと通電開始側バッテリーとの両方に対するパルス電流の通電を所定時間だけオーバーラップさせた
請求項１又は２に記載のサルフェーション除去装置。
【請求項４】
上記通電終了側バッテリーと通電開始側バッテリーとの両方に対して通電されるパルス電流のオーバーラップ時間を調節するオーバーラップ時間調節手段を設けた
請求項３に記載のサルフェーション除去装置。
【請求項５】
上記複数の各バッテリーを一組として、上記通電切換え手段に対して複数組接続した
請求項１乃至４のいずれか一つに記載のサルフェーション除去装置。
【請求項６】
上記通電切換え手段による通電切換え時において、上記通電を終了する通電終了組のバッテリーと、該通電を開始する通電開始組のバッテリーとの両方に対するパルス電流の通電を所定時間だけオーバーラップさせた
請求項５に記載のサルフェーション除去装置。
【請求項７】
上記通電終了組のバッテリーと通電開始組のバッテリーとの両方に対して通電されるパルス電流のオーバーラップ時間を調節するオーバーラップ時間調節手段を設けた
請求項６に記載のサルフェーション除去装置。
【発明の詳細な説明】
【技術分野】
【０００１】
この発明は、例えば自動車、電動車椅子、船舶、建設機械、発電機等に用いられるバッテリーの電極板に析出したサルフェーション（非電導性結晶皮膜）を除去する作業に用いられるサルフェーション除去装置に関する。
【背景技術】
【０００２】
従来、上述のサルフェーション除去に使用される装置としては、例えば一定のベース電流を、バッテリーの電極板に析出したサルフェーションを除去するパルス電流と重畳して通電する特許文献１のバッテリー再生装置がある。しかし、ベース電流は、サルフェーション除去のためのパルス電流と重畳して供給することによって、バッテリー充電のためのベース電流であるため、再生時におけるパルス電流の消耗及び消費が著しく、バッテリーの再生コストが高くなる。
【０００３】
また、バッテリーへ充電用電源から小さなベース電流を流すと共に、充電電流制御回路を介して大きなパルス電流を所定の周波数にて一定時間流して停止し、再び同じパルス電流を一定時間流して停止する行程を繰り返すことで、バッテリーを再生する特許文献２のバッテリー再生方法及び再生装置がある。しかし、リレーを切換えた瞬間、バッテリーに通電されるパルス電流にオーバーショートが発生するため、パルス電流の消耗及び消費が著しく、バッテリーの再生コストが高くなる。バッテリー及び構成部品、周辺機器等に付与される負担が大きく、故障が発生する原因になる。
【特許文献１】特許第３５６４４５８号
【特許文献２】特開２００４−７９３７４号
【発明の開示】
【発明が解決しようとする課題】
【０００４】
この発明は上記問題に鑑み、サルフェーション除去に使用される電流の消耗及び消費が少なくて済み、バッテリー及び構成部品、周辺機器に付与される負担が軽減され、寿命の延命を図ることができるサルフェーション除去装置の提供を目的とする。
【課題を解決するための手段】
【０００５】
請求項１に記載した発明のサルフェーション除去装置は、電源から供給されるパルス電流を複数の各バッテリーに通電し、該各バッテリーの電極板に析出したサルフェーションを除去するサルフェーション除去装置であって、上記各バッテリーに対する通電を所定周期で交互に切換えることによって、該各バッテリーに通電される電流をパルス電流にして供給する通電切換え手段と、上記通電切換え手段による切換え動作を制御する制御手段を設け、上記通電切換え手段の切換え動作によって、上記通電を終了する通電終了側バッテリーと、該通電を開始する通電開始側バッテリーとの両方に対してパルス電流を通電することを特徴とする。
【０００６】
この発明によると、通電切換え手段の切換え動作により、電源から供給される電流を、各バッテリーの電極板（例えば正極板、負極板等）に対して交互に通電し、各バッテリーに通電される電流をパルス電流として供給する動作を所定時間行った後、各バッテリーに対する通電を所定時間休止する。所定の休止時間が経過したら、各バッテリーに対してパルス電流を交互に通電する動作を再開する。つまり、各バッテリーに対するパルス電流の通電及び休止を所定周期で何回か繰り返すことで、電極板の表面に析出したサルフェーション（非電導性結晶皮膜、ＰｂＳＯ＝硫酸鉛の結晶等）を除去する。また、電源から供給される電流が一定であるため、各バッテリーに対してパルス電流を通電することによるオーバーショート（突入電流）の発生を防止している。したがって、サルフェーションを除去するための消費電力を低減する。
【０００７】
上記電源は、例えば直流電源で構成することができる。また、バッテリーは、例えば自動車、電動車椅子、船舶、建設機械、発電機等に用いられる充電式の蓄電池で構成することができる。実施例では、絶縁性を有する材質で形成した容器内部に、正極板（ＰｂＯ2）と、負極板（Ｐｂ）と、隔離板（セパレータ）とを交互に複数配列し、電解液（２Ｈ2ＳＯ４）を所定の貯液レベルに貯液した鉛蓄電池を使用している。
【０００８】
また、制御手段は、例えばパーソナルコンピューター、ＣＰＵ、ＲＯＭ、ＲＡＭを内蔵した制御装置、ＰＩＣ制御回路を備えた制御装置等で構成することができる。例えば通電切換え手段の切換えタイミングや、パルス電流の周波数等を制御手段で制御すれば、様々なタイプのバッテリーを再生するのに用いることができる。
【０００９】
請求項２に記載した発明のサルフェーション除去装置は、上記請求項１に記載の構成と併せて、上記各バッテリーを、上記通電切換え手段に対して個々に接続したことを特徴とする。この発明によると、電源から供給される一定の電流が各バッテリーに対して個々にパルス電流として通電される。
【００１０】
請求項３に記載した発明のサルフェーション除去装置は、上記請求項１又は２に記載の構成と併せて、上記通電切換え手段による通電切換え時において、上記通電終了側バッテリーと通電開始側バッテリーとの両方に対するパルス電流の通電を所定時間だけオーバーラップさせたことを特徴とする。
【００１１】
この発明によると、通電切換え手段の切換え動作により、通電終了側バッテリーから通電開始側バッテリーへ通電を切換える瞬間に、電源から供給される一定の電流を、通電終了側バッテリーと通電開始側バッテリーの両方に対して所定時間だけオーバーラップさせて通電するので、通電切換え時において、各バッテリーに対して電流が途切れることなく連続して供給される。したがって、各バッテリーへの通電開始時において電流が徐々に増加し、各バッテリー及び構成部品、周辺機器等に対する負担が軽減される。
【００１２】
請求項４に記載した発明のサルフェーション除去装置は、上記請求項３に記載の構成と併せて、上記通電終了側バッテリーと通電開始側バッテリーとの両方に対して通電されるパルス電流のオーバーラップ時間を調節するオーバーラップ時間調節手段を設けたことを特徴とする。
【００１３】
この発明によると、上記通電終了側バッテリーと通電開始側バッテリーとの両方に対して通電されるパルス電流のオーバーラップ時間を、オーバーラップ時間調節手段によりバッテリーの種類、容量等に応じて任意の時間に可変調節する。したがって、各バッテリーへの通電開始時の電流増加率を適宜調節できるため、様々なタイプのバッテリーを再生するのに用いることができる。
【００１４】
また、オーバーラップの時間（秒を含む時間）は、バッテリーの種類、容量等に応じて任意の時間（例えば秒単位、分単位等）に設定することができるが、１秒以下又は１秒以上等の秒単位の時間に変更してもよい。また、通電切換え手段で切換える瞬間、例えば１秒〜数秒の時間、或いは、１／１０秒〜１／１００秒の１秒以下の時間等の秒単位の時間だけオーバーラップさせてもよい。
【００１５】
請求項５に記載した発明のサルフェーション除去装置は、上記請求項１乃至４のいずれか一つに記載の構成と併せて、上記複数の各バッテリーを一組として、上記通電切換え手段に対して複数組接続したことを特徴とする。この発明によると、電源から供給される一定の電流が各組の各バッテリーに対して個々にパルス電流として通電される。
【００１６】
また、一方のバッテリー組が休止している間に他方のバッテリー組に通電できるため、効率よく複数のバッテリーのサルフェーションを除去することができる。
【００１７】
請求項６に記載した発明のサルフェーション除去装置は、上記請求項５に記載の構成と併せて、上記通電切換え手段による通電切換え時において、上記通電を終了する通電終了組のバッテリーと、該通電を開始する通電開始組のバッテリーとの両方に対するパルス電流の通電を所定時間だけオーバーラップさせたことを特徴とする。
【００１８】
この発明によると、通電切換え手段の切換え動作により、通電終了組バッテリーから通電開始組バッテリーへ通電を切換える瞬間に、電源から供給される一定の電流を、通電終了組バッテリーと通電開始組バッテリーの両方に対して所定時間だけオーバーラップさせて通電するので、各組の各バッテリーに対して電流が途切れることなく連続して供給される。したがって、各組の各バッテリーへの通電開始時において電流が徐々に増加し、各バッテリー及び構成部品、周辺機器等に対する負担が軽減される。
【００１９】
請求項７に記載した発明のサルフェーション除去装置は、上記請求項６に記載の構成と併せて、上記通電終了組のバッテリーと通電開始組のバッテリーとの両方に対して通電されるパルス電流のオーバーラップ時間を可変調節するオーバーラップ時間調節手段を設けたことを特徴とする。
【００２０】
この発明によると、通電終了組のバッテリーと通電開始組のバッテリーとの両方に対して通電されるパルス電流のオーバーラップ時間を、オーバーラップ時間調節手段によりバッテリーの種類、容量等に応じて任意の時間に可変調節する。したがって、各組の各バッテリーへの通電開始時の電流増加率を適宜調節できるため、様々なタイプのバッテリーを再生するのに用いることができる。
【発明の効果】
【００２１】
この発明によれば、通電切換え手段の切換え動作により、電源から供給される電流を各バッテリーに対して交互に通電し、各バッテリーに供給される電流をそれぞれ位相の異なるパルス電流として通電する動作と、各バッテリーに対する通電を所定時間休止する動作を所定周期で何回か繰り返すので、電極板に析出したサルフェーションを確実に除去することができる。また、分離及び分解されたサルフェーションの微粒子は電解液に溶解しやすく、電解液の比重が回復するため、未使用に近い状態にまで再生又は回復させることができる。
【００２２】
また、電源から供給される電流が一定しているため、電流供給開始時を除いてオーバーショートが発生することがないため、バッテリーに対して直接パルス電流を与える場合と比較して、サルフェーション除去に使用される電流の消耗及び消費を低減することができる。また、各バッテリーに対して電流が途切れることなく連続して供給されるため、電流の切換え供給がスムースに行え、バッテリー及び構成部品、周辺機器等に付与される負担が軽減され、バッテリーの延命を図ることができる。
【発明を実施するための最良の形態】
【００２３】
この発明は、サルフェーション除去に使用される電流の消耗及び消費が少なく、バッテリー及び構成部品、周辺機器等に付与される負担が軽減され、寿命の延命を図ることができるという目的を、通電切換え手段の切換え動作により、電源から供給される電流を各バッテリーに対して交互にパルス電流として通電する動作と、各バッテリーに対する通電を休止する動作とを所定周期で何回か繰り返すことで達成した。
【実施例】
【００２４】
この発明の一実施例を以下図面に基づいて詳述する。  
図面は、バッテリーの正極板、負極板に析出したサルフェーションを除去する作業に用いられる第１実施例のサルフェーション除去装置を示し、図１に於いて、このサルフェーション除去装置１は、電源２から供給される直流の電流Ａを、通電量調節装置３により２個並列した第１バッテリーＢ１及び第２バッテリーＢ２の正極板Ｂａ、負極板Ｂｂに析出したサルフェーションを除去するのに適した通電量に調節し、その調節した電流Ａを、通電切換え装置４の切換え動作により第１バッテリーＢ１及び第２バッテリーＢ２に対して逆位相となるように交互に通電し、第１バッテリーＢ１及び第２バッテリーＢ２に通電される電流Ａをパルス電流Ｐにして供給する動作を所定周期で何回か繰り返して、第１バッテリーＢ１及び第２バッテリーＢ２の正極板Ｂａ、負極板Ｂｂに析出したサルフェーション（非電導性結晶皮膜、ＰｂＳＯ＝硫酸鉛の結晶等）を除去するものである。
【００２５】
第１バッテリーＢ１及び第２バッテリーＢ２は、同一の種類、容量、構造等を有するバッテリーで構成され、絶縁性を有する材質で形成した容器Ｂｅ内部に、正極板Ｂａ（ＰｂＯ2）と、負極板Ｂｂ（Ｐｂ）と、隔離板Ｂｃ（セパレータ）とを交互に複数配列し、電解液Ｂｄ（２Ｈ2ＳＯ４）を所定の貯液レベルに貯液した鉛蓄電池である。
【００２６】
通電量調節装置３は、電源２と通電切換え装置４を接続する通電路の途中に設けられ、後述する制御装置５から出力される通電量調節指令信号に基づいて、電源２から供給される電流Ａを、第１バッテリーＢ１及び第２バッテリーＢ２の正極板Ｂａ、負極板Ｂｂに析出したサルフェーションの大きさや硬さ等に応じて、分解及び除去するのに適した通電量に可変調節するものである。
【００２７】
通電切換え装置４は、通電量調節装置３と、第１バッテリーＢ１及び第２バッテリーＢ２を接続する通電路の途中に設けられ、制御装置５から出力される切換え指令信号に基づいて、第１バッテリーＢ１側に接続したスイッチ４ａと、第２バッテリーＢ２側に接続したスイッチ４ｂとをＯＮ／ＯＦＦ切換えて、電源２から供給される電流Ａを第１バッテリーＢ１から第２バッテリーＢ２へ通電するか、第２バッテリーＢ２から第１バッテリーＢ１へ通電する等の切換え動作を所定周期で交互に行う。つまり、図２に示すように、通電切換え装置４の切換え動作により、電源２から供給される一定の電流Ａを第１バッテリーＢ１及び第２バッテリーＢ２に対して逆位相となるように交互に通電し、第１バッテリーＢ１及び第２バッテリーＢ２に通電される電流Ａをパルス電流Ｐにして供給する動作を所定周期で何回か繰り返す。
【００２８】
且つ、制御装置５から出力される切換え指令信号に基づいて、パルス電流Ｐを、各バッテリーＢ１，Ｂ２に対して交互に通電する動作を所定時間（例えば、５分）行った後、各バッテリーＢ１，Ｂ２に対する通電を所定の休止時間Ｔ（例えば、５分毎）停止させる。所定の休止時間Ｔが経過したら、通電切換え装置４の切換え動作により、各バッテリーＢ１，Ｂ２に対してパルス電流Ｐを交互に通電する動作を再開する。つまり、各バッテリーＢ１，Ｂ２に対するパルス電流Ｐの通電及び休止を所定周期で何回か繰り返すことで、電極板の表面に析出したサルフェーションを除去する。  
なお、通電時間と休止時間Ｔとを同じ時間で設定してもよく、また、一方の時間を他方の時間より長くあるいは短く設定してもよい。
【００２９】
上述の通電量調節装置３及び通電切換え装置４は、ＰＩＣ制御回路を内蔵した制御装置５に接続され、ＣＰＵ、ＲＯＭ、ＲＡＭ等を備えたＰＩＣ制御回路は、ＲＯＭに格納されたプログラムに沿って、上述の通電量調節装置３と、通電切換え装置４の駆動及び停止を制御する。また、制御装置５の操作パネルには、各装置３，４の動作を調節、設定するスイッチやボタン等を配列している。
【００３０】
なお、パルス周波数は、制御装置５によって調節された通電切換え装置４の切換えタイミングによって決定される。したがって、利用者は、制御装置５を調節することによって、通電切換え装置４を介して、第１バッテリーＢ１及び第２バッテリーＢ２の正極板Ｂａ、負極板Ｂｂに対して通電されるパルス電流Ｐの周波数を、各バッテリーＢ１，Ｂ２の種類、容量等に応じて任意の周波数に可変調節することができる。
【００３１】
また、パルス電流Ｐの周波数は、例えば１ｋＨｚ〜１２ｋＨｚの範囲に含まれる任意のｋＨｚに設定するが、１ｋＨｚ以下又は１２ｋＨｚ以上等のｋＨｚに変更してもよい。２ｋＨｚ〜５ｋＨｚの範囲に含まれる任意の周波数（好ましくは１．５ｋＨｚ）に設定するのが最適である。
【００３２】
また、第１バッテリーＢ１及び第２バッテリーＢ２に通電されるパルス電流Ｐの通電回数を制御装置５に内蔵したカウンタで計数し、その計数した通電回数を記憶してもよい。
【００３３】
図示実施例は上記の如く構成するものにして、以下、サルフェーション除去装置１により２個並列した各バッテリーＢ１，Ｂ２の正極板Ｂａ、負極板Ｂｂに析出したサルフェーションの除去方法を説明する。
【００３４】
先ず、図１に示すように、第１バッテリーＢ１及び第２バッテリーＢ２の正極板Ｂａ、負極板Ｂｂに析出したサルフェーションを除去する場合、制御装置５から出力される通電量調節指令信号に基づいて、電源２から供給される電流Ａを、通電量調節装置３により第１バッテリーＢ１及び第２バッテリーＢ２の正極板Ｂａ、負極板Ｂｂに析出したサルフェーションを除去するのに適した通電量に調節し、その調節した電流Ａを、制御装置５から出力される切換え指令信号に基づいて、通電切換え装置４の切換え動作により第１バッテリーＢ１側に接続したスイッチ４ａと、第２バッテリーＢ２側に接続したスイッチ４ｂとをＯＮ／ＯＦＦ切換えて、第１バッテリーＢ１及び第２バッテリーＢ２に対して逆位相となるように所定周期で交互に通電する。
【００３５】
次に、図２に示すように、第１バッテリーＢ１の正極板Ｂａ、負極板Ｂｂに対して所定時間通電し、予め設定した所定の通電時間が経過したら、第１バッテリーＢ１の正極板Ｂａ、負極板Ｂｂに対する通電を所定時間停止させ、第２バッテリーＢ２の正極板Ｂａ、負極板Ｂｂに対する通電を開始するという動作を所定周期で何回か繰り返した後、第１バッテリーＢ１側に接続したスイッチ４ａと、第２バッテリーＢ２側に接続したスイッチ４ｂとをＯＦＦ状態に切換えて、パルス電流Ｐの通電を所定時間Ｔ休止する。
【００３６】
第１バッテリーＢ１及び第２バッテリーＢ２に対するパルス電流Ｐの通電及び休止を所定周期で何回か繰り返すことで、第１バッテリーＢ１及び第２バッテリーＢ２の正極板Ｂａ、負極板Ｂｂの表面に析出したサルフェーション（非電導性結晶皮膜、ＰｂＳＯ＝硫酸鉛の結晶等）を除去するとともに、第１バッテリーＢ１及び第２バッテリーＢ２をパルス電流Ｐの通電により略満了状態に充電することができる。
【００３７】
以上のように、通電切換え装置４の切換え動作により、電源２から供給される電流Ａを各バッテリーＢ１，Ｂ２に対して逆位相となるように交互に通電し、各バッテリーＢ１，Ｂ２に通電される電流Ａをパルス電流Ｐにして通電する動作と、各バッテリーＢ１，Ｂ２に対する通電を所定時間Ｔ休止する動作を所定周期で何回か繰り返すので、正極板Ｂａ、負極板Ｂｂに析出したサルフェーションを確実に除去することができる。また、パルス電流Ｐの通電により分離及び分解されたサルフェーションの微粒子は電解液Ｂｄに溶解しやすく、電解液Ｂｄの比重が回復するため、未使用に近い状態にまで再生又は回復させることができる。
【００３８】
また、通電切換え時であっても、電源から供給される電流Ａが一定であるため、電源からの電流の供給開始時以外にオーバーショートＣ（突入電流）が発生するのを防止することができる。したがって、サルフェーション除去に使用される電流Ａの消耗及び消費が少なく、再生費及び充電費の低減を図ることができる。
【００３９】
また、図３に示すように、第１バッテリーＢ１と第２バッテリーＢ２との間で通電を切換える瞬間に、第１バッテリーＢ１及び第２バッテリーＢ２に接続した各スイッチ４ａ，４ｂをＯＮして、図２に示すように、第１バッテリーＢ１及び第２バッテリーＢ２の両方に対して所定時間ｔ１だけオーバーラップさせて通電してもよい。
【００４０】
オーバーラップ時間調節装置６は、第１バッテリーＢ１と第２バッテリーＢ２との両方に対して通電されるパルス電流Ｐのオーバーラップ時間ｔ１を、例えばバッテリーの種類、容量等に応じて任意の時間ｔ１に可変調節するものであり、ＰＩＣ制御回路を内蔵した制御装置５に接続され、上記ＰＩＣ制御回路のＲＯＭに格納されたプログラムに沿って、駆動及び停止を制御される。また、制御装置５の操作パネルには、オーバーラップ時間調節装置６の動作を調節、設定するスイッチやボタン等を配列している。
【００４１】
なお、オーバーラップの時間ｔ１（秒を含む時間）は、第１バッテリーＢ１及び第２バッテリーＢ２の種類、容量等に応じて任意の時間ｔ１（例えば秒単位、分単位等）に設定することができるが、１秒以下又は１秒以上等の秒単位の時間ｔ１に変更してもよい。また、通電切換え手段で切換える瞬間、例えば１秒〜数秒の時間、或いは、１／１０秒〜１／１００秒の１秒以下の時間等の秒単位の時間ｔ１だけオーバーラップさせてもよい。
【００４２】
上記構成により、第１バッテリーＢ１及び第２バッテリーＢ２の正極板Ｂａ、負極板Ｂｂに析出したサルフェーションを除去する処理と、略満了状態に充電する処理とが行え、通電切換え時であっても、各バッテリーＢ１，Ｂ２に対して通電する電流Ａが一定であるため、電源の供給開始時以外にオーバーショートＣ（突入電流）が発生することを防止でき、さらに、各バッテリーＢ１，Ｂ２に対して電流Ａが途切れることなく連続して供給されるので、電流Ａの切換え供給がスムースに行える。したがって、上述した効果に加え、各バッテリーＢ１，Ｂ２及び構成部品、周辺機器等に付与される負担が軽減され、各バッテリーＢ１，Ｂ２の延命を図ることができる。
【００４３】
図４は、２個一組の各バッテリーＢ１，Ｂ２を２組並列して通電切換え装置４に接続し、各組毎に、各組の各バッテリーＢ１，Ｂ２の正極板Ｂａ、負極板Ｂｂに析出したサルフェーションを除去する第２実施例のサルフェーション除去装置１を示す。
【００４４】
電源２から供給される電流Ａを、通電切換え装置４の切換え動作により、図中左側に配置した第１組の第１バッテリーＢ１及び第２バッテリーＢ２に対して逆位相となるように所定周期で交互に通電することによって、パルス電流Ｐとして第１バッテリーＢ１及び第２バッテリーＢ２に所定時間通電し、通電切換え装置４の第１組から第２組への切換え動作により、図中左側に配置した第１組の通電終了側の各バッテリーＢ１，Ｂ２から、図中右側に配置した第２組の通電開始側の各バッテリーＢ１，Ｂ２へ通電を切換えた後、通電切換え装置４の切換え動作により、図中左側に配置した第１組の第１バッテリーＢ１及び第２バッテリーＢ２に対して逆位相となるように所定周期で交互に通電することによって、パルス電流Ｐとして第１バッテリーＢ１及び第２バッテリーＢ２に所定時間通電し、さらに、通電切換え装置４の第２組から第１組への切換え動作により、第２組の通電終了側の各バッテリーＢ１，Ｂ２から、第１組の通電開始側の各バッテリーＢ１，Ｂ２へ通電を切換え、これを繰り返す。
【００４５】
つまり、図５に示すように、第１組の各バッテリーＢ１，Ｂ２に通電している間は、第２組の各バッテリーＢ１，Ｂ２への通電を休止又は停止して、所定時間毎（例えば、５分毎）に、２個一組の各バッテリーＢ１，Ｂ２に対する充電及び休止を交互に繰り返すので、上記第１実施例と略同等の作用及び効果を奏することができる。
【００４６】
また、パルス電流Ｐを、いずれかの組のいずれかの各バッテリーＢ１，Ｂ２に対して休みなく連続して通電するので、最小のシステム構成により、各組の各バッテリーＢ１，Ｂ２の正極板Ｂａ、負極板Ｂｂに析出したサルフェーションを除去する作業と、各組の各バッテリーＢ１，Ｂ２を満了状態に充電する作業が同時に行えるとともに、装置の設置スペースが小さくて済み、小型化を図ることができる。なお、充電と休止とを繰り返す所定時間は、例えば５分以下又は５分以上の任意の時間（秒単位、分単位等の時間）に変更してもよい。
【００４７】
また、図６に示すように、通電切換え装置４の切換え動作により、図中左側に配置した第１組の通電終了側の各バッテリーＢ１，Ｂ２から、図中右側に配置した第２組の通電開始側の各バッテリーＢ１，Ｂ２へ通電を切換える瞬間と、第２組の通電終了側の各バッテリーＢ１，Ｂ２から通電開始側の各バッテリーＢ１，Ｂ２へ通電を切換える瞬間において、パルス電流Ｐを、第１組の第２バッテリーＢ２と、第２組の第１バッテリーＢ１との両方に対して所定時間ｔ２だけオーバーラップさせて通電してもよく、通電切換え時において、各組の各バッテリーＢ１，Ｂ２に対して電流Ａが途切れることなく連続して供給されるため、電流Ａの切換え供給がスムースに行え、各バッテリーＢ１，Ｂ２及び構成部品、周辺機器等に付与される負担を軽減することができる。
【００４８】
なお、各組への切換え時の所定時間ｔ２のオーバーラップ時間は、図４に示すように、上記オーバーラップ時間調節装置６で可変調節してもよいし、また、各組への切換え時のオーバーラップ時間用の別のオーバーラップ時間調節装置を設けてもよい。
【００４９】
この発明の構成と、上述の実施例との対応において、  
この発明のバッテリーは、実施例の第１バッテリーＢ１と、第２バッテリーＢ２に対応し、  
以下同様に、
電極板は、正極板Ｂａと、負極板Ｂｂに対応し、  
通電切換え手段は、実施例の通電切換え装置４に対応し、  
制御手段は、制御装置５に対応し、  
オーバーラップ時間調節手段は、オーバーラップ時間調節装置６に対応するも、  
この発明は、上述の実施例の構成のみに限定されるものではなく、請求項に示される技術思想に基づいて応用することができ、多くの実施の形態を得ることができる。
【００５０】
本発明のサルフェーション除去装置１は、例えば３個、４個、５個等の２個以上の各バッテリーの電極板に析出したサルフェーションを除去する作業にも用いることができ、実施例の個数及び組数に限定されるものではない。
【図面の簡単な説明】
【００５１】
【図１】サルフェーション除去装置による２個の各バッテリーのサルフェーション除去を示すブロック図。
【図２】各バッテリーに通電されるパルス電流を示す波形図。
【図３】各バッテリーに通電されるパルス電流のオーバーラップを示す波形図。
【図４】サルフェーション除去装置による２組の各バッテリーのサルフェーション除去を示すブロック図。
【図５】各組の各バッテリーに通電されるパルス電流を示す波形図。
【図６】各組の各バッテリーに通電されるパルス電流のオーバーラップを示す波形図。
【符号の説明】
【００５２】
Ａ…電流
Ｐ…パルス電流
Ｂ１…第１バッテリー
Ｂ２…第２バッテリー
Ｂａ…正極板
Ｂｂ…負極板
１…サルフェーション除去装置
２…電源
３…通電量調節装置
４…通電切換え装置
５…制御装置
６…オーバーラップ時間調節装置
【図１】
2007213843.tif 000003
【図２】
2007213843.tif 000004
【図３】
2007213843.tif 000005
【図４】
2007213843.tif 000006
【図５】
2007213843.tif 000007
【図６】
2007213843.tif 000008
【手続補正書】
【提出日】平成18年5月15日(2006.5.15)
【手続補正１】
【補正対象書類名】特許請求の範囲
【補正対象項目名】全文
【補正方法】変更
【補正の内容】
【特許請求の範囲】
【請求項１】
定電流を供給する電源と、
該電源に接続された複数のバッテリーのうち通電するバッテリーを、所定周期で所定順序に切り替える通電切換え手段と、
上記通電切換え手段による切換え動作を制御する制御手段とを設け、
該制御手段による上記通電切換え手段の切換え動作によって、上記電源が供給する上記定電流を各バッテリーにパルス電流として通電し、各バッテリーの電極板に析出したサルフェーションを除去する
サルフェーション除去装置。
【請求項２】
上記各バッテリーを、上記通電切換え手段に対して個々に接続した
請求項１に記載のサルフェーション除去装置。
【請求項３】
上記通電切換え手段による通電切換え時において、上記通電を終了する通電終了側バッテリーと、該通電を開始する通電開始側バッテリーとに対する通電を所定時間だけオーバーラップさせた
請求項１又は２に記載のサルフェーション除去装置。
【請求項４】
上記通電終了側バッテリーと通電開始側バッテリーとに対する通電のオーバーラップ時間を調節するオーバーラップ時間調節手段を設けた
請求項３に記載のサルフェーション除去装置。
【請求項５】
上記複数のバッテリーを一組として、上記通電切換え手段に対して複数組接続した
請求項１乃至４のいずれか一つに記載のサルフェーション除去装置。
【請求項６】
上記通電切換え手段による通電切換え時において、上記通電を終了する通電終了組のバッテリーと、該通電を開始する通電開始組のバッテリーとに対する通電を所定時間だけオーバーラップさせた
請求項５に記載のサルフェーション除去装置。
【請求項７】
上記通電終了組のバッテリーと通電開始組のバッテリーとに対する通電のオーバーラップ時間を調節するオーバーラップ時間調節手段を設けた
請求項６に記載のサルフェーション除去装置。
【手続補正２】
【補正対象書類名】明細書
【補正対象項目名】全文
【補正方法】変更
【補正の内容】
【発明の詳細な説明】
【技術分野】
【０００１】
この発明は、例えば自動車、電動車椅子、船舶、建設機械、発電機等に用いられるバッテリーの電極板に析出したサルフェーション（非電導性結晶皮膜）を除去する作業に用いられるサルフェーション除去装置に関する。
【背景技術】
【０００２】
従来、上述のサルフェーション除去に使用される装置としては、例えば一定のベース電流を、バッテリーの電極板に析出したサルフェーションを除去するパルス電流と重畳して通電する特許文献１のバッテリー再生装置がある。しかし、ベース電流は、サルフェーション除去のためのパルス電流と重畳して供給することによって、バッテリー充電のためのベース電流であるため、再生時におけるパルス電流の消耗及び消費が著しく、バッテリーの再生コストが高くなる。
【０００３】
また、バッテリーへ充電用電源から小さなベース電流を流すと共に、充電電流制御回路を介して大きなパルス電流を所定の周波数にて一定時間流して停止し、再び同じパルス電流を一定時間流して停止する行程を繰り返すことで、バッテリーを再生する特許文献２のバッテリー再生方法及び再生装置がある。しかし、リレーを切換えた瞬間、バッテリーに通電されるパルス電流にオーバーショートが発生するため、パルス電流の消耗及び消費が著しく、バッテリーの再生コストが高くなる。バッテリー及び構成部品、周辺機器等に付与される負担が大きく、故障が発生する原因になる。
【特許文献１】特許第３５６４４５８号
【特許文献２】特開２００４−７９３７４号
【発明の開示】
【発明が解決しようとする課題】
【０００４】
この発明は上記問題に鑑み、サルフェーション除去に使用される電流の消耗及び消費が少なくて済み、バッテリー及び構成部品、周辺機器に付与される負担が軽減され、寿命の延命を図ることができるサルフェーション除去装置の提供を目的とする。
【課題を解決するための手段】
【０００５】
請求項１に記載した発明のサルフェーション除去装置は、定電流を供給する電源と、該電源に接続された複数のバッテリーのうち通電するバッテリーを、所定周期で所定順序に切り替える通電切換え手段と、上記通電切換え手段による切換え動作を制御する制御手段とを設け、該制御手段による上記通電切換え手段の切換え動作によって、上記電源が供給する上記定電流を各バッテリーにパルス電流として通電し、各バッテリーの電極板に析出したサルフェーションを除去することを特徴とする。
【０００６】
この発明によると、通電切換え手段の切換え動作により、電源から供給される電流を、各バッテリーの電極板（例えば正極板、負極板等）に対して通電し、各バッテリーに通電される定電流をパルス電流として供給する動作を所定時間行った後、各バッテリーに対する通電を所定時間休止する。所定の休止時間が経過したら、各バッテリーに対してパルス電流を通電する動作を再開する。つまり、各バッテリーに対するパルス電流の通電及び休止を所定周期で何回か繰り返すことで、電極板の表面に析出したサルフェーション（非電導性結晶皮膜、ＰｂＳＯ＝硫酸鉛の結晶等）を除去する。また、電源から供給される電流が一定であるため、各バッテリーに対してパルス電流を通電することによるオーバーショート（突入電流）の発生を防止している。したがって、サルフェーションを除去するための消費電力を低減する。
【０００７】
上記電源は、例えば直流電源で構成することができる。また、バッテリーは、例えば自動車、電動車椅子、船舶、建設機械、発電機等に用いられる充電式の蓄電池で構成することができる。実施例では、絶縁性を有する材質で形成した容器内部に、正極板（ＰｂＯ2）と、負極板（Ｐｂ）と、隔離板（セパレータ）とを交互に複数配列し、電解液（２Ｈ2ＳＯ４）を所定の貯液レベルに貯液した鉛蓄電池を使用している。
【０００８】
また、制御手段は、例えばパーソナルコンピューター、ＣＰＵ、ＲＯＭ、ＲＡＭを内蔵した制御装置、ＰＩＣ制御回路を備えた制御装置等で構成することができる。例えば通電切換え手段の切換えタイミングや、パルス電流の周波数等を制御手段で制御すれば、様々なタイプのバッテリーを再生するのに用いることができる。
【０００９】
請求項２に記載した発明のサルフェーション除去装置は、上記請求項１に記載の構成と併せて、上記各バッテリーを、上記通電切換え手段に対して個々に接続したことを特徴とする。この発明によると、電源から供給される一定の電流が各バッテリーに対して個々にパルス電流として通電される。
【００１０】
請求項３に記載した発明のサルフェーション除去装置は、上記請求項１又は２に記載の構成と併せて、
上記通電切換え手段による通電切換え時において、上記通電を終了する通電終了側バッテリーと、該通電を開始する通電開始側バッテリーとに対する通電を所定時間だけオーバーラップさせたことを特徴とする。
【００１１】
この発明によると、通電切換え手段の切換え動作により、通電終了側バッテリーから通電開始側バッテリーへ通電を切換える瞬間に、電源から供給される一定の電流を、通電終了側バッテリーと通電開始側バッテリーとに対して所定時間だけオーバーラップさせて通電するので、通電切換え時において、各バッテリーに対して電流が途切れることなく連続して供給される。したがって、各バッテリーへの通電開始時において電流が徐々に増加し、各バッテリー及び構成部品、周辺機器等に対する負担が軽減される。
【００１２】
請求項４に記載した発明のサルフェーション除去装置は、上記請求項３に記載の構成と併せて、上記通電終了側バッテリーと通電開始側バッテリーとに対する通電のオーバーラップ時間を調節するオーバーラップ時間調節手段を設けたことを特徴とする。
【００１３】
この発明によると、上記通電終了側バッテリーと通電開始側バッテリーとに対して通電されるパルス電流のオーバーラップ時間を、オーバーラップ時間調節手段によりバッテリーの種類、容量等に応じて任意の時間に可変調節する。したがって、各バッテリーへの通電開始時の電流増加率を適宜調節できるため、様々なタイプのバッテリーを再生するのに用いることができる。
【００１４】
また、オーバーラップの時間（秒を含む時間）は、バッテリーの種類、容量等に応じて任意の時間（例えば秒単位、分単位等）に設定することができるが、１秒以下又は１秒以上等の秒単位の時間に変更してもよい。また、通電切換え手段で切換える瞬間、例えば１秒〜数秒の時間、或いは、１／１０秒〜１／１００秒の１秒以下の時間等の秒単位の時間だけオーバーラップさせてもよい。
【００１５】
請求項５に記載した発明のサルフェーション除去装置は、上記請求項１乃至４のいずれか一つに記載の構成と併せて、上記複数のバッテリーを一組として、上記通電切換え手段に対して複数組接続したことを特徴とする。この発明によると、電源から供給される一定の電流が各組の各バッテリーに対して個々にパルス電流として通電される。
【００１６】
また、一方のバッテリー組が休止している間に他方のバッテリー組に通電できるため、効率よく複数のバッテリーのサルフェーションを除去することができる。
【００１７】
請求項６に記載した発明のサルフェーション除去装置は、上記請求項５に記載の構成と併せて、上記通電切換え手段による通電切換え時において、上記通電を終了する通電終了組のバッテリーと、該通電を開始する通電開始組のバッテリーとに対する通電を所定時間だけオーバーラップさせたことを特徴とする。
【００１８】
この発明によると、通電切換え手段の切換え動作により、通電終了組バッテリーから通電開始組バッテリーへ通電を切換える瞬間に、電源から供給される一定の電流を、通電終了組バッテリーと通電開始組バッテリーとに対して所定時間だけオーバーラップさせて通電するので、各組の各バッテリーに対して電流が途切れることなく連続して供給される。したがって、各組の各バッテリーへの通電開始時において電流が徐々に増加し、各バッテリー及び構成部品、周辺機器等に対する負担が軽減される。
【００１９】
請求項７に記載した発明のサルフェーション除去装置は、上記請求項６に記載の構成と併せて、上記通電終了組のバッテリーと通電開始組のバッテリーとに対する通電のオーバーラップ時間を可変調節するオーバーラップ時間調節手段を設けたことを特徴とする。
【００２０】
この発明によると、通電終了組のバッテリーと通電開始組のバッテリーとに対して通電されるパルス電流のオーバーラップ時間を、オーバーラップ時間調節手段によりバッテリーの種類、容量等に応じて任意の時間に可変調節する。したがって、各組の各バッテリーへの通電開始時の電流増加率を適宜調節できるため、様々なタイプのバッテリーを再生するのに用いることができる。
【発明の効果】
【００２１】
この発明によれば、通電切換え手段の切換え動作により、電源から供給される定電流を、各バッテリーに対してそれぞれ位相の異なるパルス電流として通電する動作と、各バッテリーに対する通電を所定時間休止する動作を所定周期で何回か繰り返すので、電極板に析出したサルフェーションを確実に除去することができる。また、分離及び分解されたサルフェーションの微粒子は電解液に溶解しやすく、電解液の比重が回復するため、未使用に近い状態にまで再生又は回復させることができる。
【００２２】
また、電源から供給される電流が一定しているため、電流供給開始時を除いてオーバーショートが発生することがないため、バッテリーに対して直接パルス電流を与える場合と比較して、サルフェーション除去に使用される電流の消耗及び消費を低減することができる。また、各バッテリーに対して電流が途切れることなく連続して供給されるため、電流の切換え供給がスムースに行え、バッテリー及び構成部品、周辺機器等に付与される負担が軽減され、バッテリーの延命を図ることができる。
【発明を実施するための最良の形態】
【００２３】
この発明は、サルフェーション除去に使用される電流の消耗及び消費が少なく、バッテリー及び構成部品、周辺機器等に付与される負担が軽減され、寿命の延命を図ることができるという目的を、通電切換え手段の切換え動作により、電源から供給される電流を各バッテリーに対して交互にパルス電流として通電する動作と、各バッテリーに対する通電を休止する動作とを所定周期で何回か繰り返すことで達成した。
【実施例】
【００２４】
この発明の一実施例を以下図面に基づいて詳述する。  
図面は、バッテリーの正極板、負極板に析出したサルフェーションを除去する作業に用いられる第１実施例のサルフェーション除去装置を示し、図１に於いて、このサルフェーション除去装置１は、電源２から供給される直流の電流Ａを、通電量調節装置３により２個並列した第１バッテリーＢ１及び第２バッテリーＢ２の正極板Ｂａ、負極板Ｂｂに析出したサルフェーションを除去するのに適した通電量に調節し、その調節した電流Ａを、通電切換え装置４の切換え動作により第１バッテリーＢ１及び第２バッテリーＢ２に対して逆位相となるように交互に通電し、第１バッテリーＢ１及び第２バッテリーＢ２に通電される電流Ａをパルス電流Ｐにして供給する動作を所定周期で何回か繰り返して、第１バッテリーＢ１及び第２バッテリーＢ２の正極板Ｂａ、負極板Ｂｂに析出したサルフェーション（非電導性結晶皮膜、ＰｂＳＯ＝硫酸鉛の結晶等）を除去するものである。
【００２５】
第１バッテリーＢ１及び第２バッテリーＢ２は、同一の種類、容量、構造等を有するバッテリーで構成され、絶縁性を有する材質で形成した容器Ｂｅ内部に、正極板Ｂａ（ＰｂＯ2）と、負極板Ｂｂ（Ｐｂ）と、隔離板Ｂｃ（セパレータ）とを交互に複数配列し、電解液Ｂｄ（２Ｈ2ＳＯ４）を所定の貯液レベルに貯液した鉛蓄電池である。
【００２６】
通電量調節装置３は、電源２と通電切換え装置４を接続する通電路の途中に設けられ、後述する制御装置５から出力される通電量調節指令信号に基づいて、電源２から供給される電流Ａを、第１バッテリーＢ１及び第２バッテリーＢ２の正極板Ｂａ、負極板Ｂｂに析出したサルフェーションの大きさや硬さ等に応じて、分解及び除去するのに適した通電量に可変調節するものである。
【００２７】
通電切換え装置４は、通電量調節装置３と、第１バッテリーＢ１及び第２バッテリーＢ２を接続する通電路の途中に設けられ、制御装置５から出力される切換え指令信号に基づいて、第１バッテリーＢ１側に接続したスイッチ４ａと、第２バッテリーＢ２側に接続したスイッチ４ｂとをＯＮ／ＯＦＦ切換えて、電源２から供給される電流Ａを第１バッテリーＢ１から第２バッテリーＢ２へ通電するか、第２バッテリーＢ２から第１バッテリーＢ１へ通電する等の切換え動作を所定周期で交互に行う。つまり、図２に示すように、通電切換え装置４の切換え動作により、電源２から供給される一定の電流Ａを第１バッテリーＢ１及び第２バッテリーＢ２に対して逆位相となるように交互に通電し、第１バッテリーＢ１及び第２バッテリーＢ２に通電される電流Ａをパルス電流Ｐにして供給する動作を所定周期で何回か繰り返す。
【００２８】
且つ、制御装置５から出力される切換え指令信号に基づいて、パルス電流Ｐを、各バッテリーＢ１，Ｂ２に対して交互に通電する動作を所定時間（例えば、５分）行った後、各バッテリーＢ１，Ｂ２に対する通電を所定の休止時間Ｔ（例えば、５分毎）停止させる。所定の休止時間Ｔが経過したら、通電切換え装置４の切換え動作により、各バッテリーＢ１，Ｂ２に対してパルス電流Ｐを交互に通電する動作を再開する。つまり、各バッテリーＢ１，Ｂ２に対するパルス電流Ｐの通電及び休止を所定周期で何回か繰り返すことで、電極板の表面に析出したサルフェーションを除去する。  
なお、通電時間と休止時間Ｔとを同じ時間で設定してもよく、また、一方の時間を他方の時間より長くあるいは短く設定してもよい。
【００２９】
上述の通電量調節装置３及び通電切換え装置４は、ＰＩＣ制御回路を内蔵した制御装置５に接続され、ＣＰＵ、ＲＯＭ、ＲＡＭ等を備えたＰＩＣ制御回路は、ＲＯＭに格納されたプログラムに沿って、上述の通電量調節装置３と、通電切換え装置４の駆動及び停止を制御する。また、制御装置５の操作パネルには、各装置３，４の動作を調節、設定するスイッチやボタン等を配列している。
【００３０】
なお、パルス周波数は、制御装置５によって調節された通電切換え装置４の切換えタイミングによって決定される。したがって、利用者は、制御装置５を調節することによって、通電切換え装置４を介して、第１バッテリーＢ１及び第２バッテリーＢ２の正極板Ｂａ、負極板Ｂｂに対して通電されるパルス電流Ｐの周波数を、各バッテリーＢ１，Ｂ２の種類、容量等に応じて任意の周波数に可変調節することができる。
【００３１】
また、パルス電流Ｐの周波数は、例えば１ｋＨｚ〜１２ｋＨｚの範囲に含まれる任意のｋＨｚに設定するが、１ｋＨｚ以下又は１２ｋＨｚ以上等のｋＨｚに変更してもよい。２ｋＨｚ〜５ｋＨｚの範囲に含まれる任意の周波数（好ましくは１．５ｋＨｚ）に設定するのが最適である。
【００３２】
また、第１バッテリーＢ１及び第２バッテリーＢ２に通電されるパルス電流Ｐの通電回数を制御装置５に内蔵したカウンタで計数し、その計数した通電回数を記憶してもよい。
【００３３】
図示実施例は上記の如く構成するものにして、以下、サルフェーション除去装置１により２個並列した各バッテリーＢ１，Ｂ２の正極板Ｂａ、負極板Ｂｂに析出したサルフェーションの除去方法を説明する。
【００３４】
先ず、図１に示すように、第１バッテリーＢ１及び第２バッテリーＢ２の正極板Ｂａ、負極板Ｂｂに析出したサルフェーションを除去する場合、制御装置５から出力される通電量調節指令信号に基づいて、電源２から供給される電流Ａを、通電量調節装置３により第１バッテリーＢ１及び第２バッテリーＢ２の正極板Ｂａ、負極板Ｂｂに析出したサルフェーションを除去するのに適した通電量に調節し、その調節した電流Ａを、制御装置５から出力される切換え指令信号に基づいて、通電切換え装置４の切換え動作により第１バッテリーＢ１側に接続したスイッチ４ａと、第２バッテリーＢ２側に接続したスイッチ４ｂとをＯＮ／ＯＦＦ切換えて、第１バッテリーＢ１及び第２バッテリーＢ２に対して逆位相となるように所定周期で交互に通電する。
【００３５】
次に、図２に示すように、第１バッテリーＢ１の正極板Ｂａ、負極板Ｂｂに対して所定時間通電し、予め設定した所定の通電時間が経過したら、第１バッテリーＢ１の正極板Ｂａ、負極板Ｂｂに対する通電を所定時間停止させ、第２バッテリーＢ２の正極板Ｂａ、負極板Ｂｂに対する通電を開始するという動作を所定周期で何回か繰り返した後、第１バッテリーＢ１側に接続したスイッチ４ａと、第２バッテリーＢ２側に接続したスイッチ４ｂとをＯＦＦ状態に切換えて、パルス電流Ｐの通電を所定時間Ｔ休止する。
【００３６】
第１バッテリーＢ１及び第２バッテリーＢ２に対するパルス電流Ｐの通電及び休止を所定周期で何回か繰り返すことで、第１バッテリーＢ１及び第２バッテリーＢ２の正極板Ｂａ、負極板Ｂｂの表面に析出したサルフェーション（非電導性結晶皮膜、ＰｂＳＯ＝硫酸鉛の結晶等）を除去するとともに、第１バッテリーＢ１及び第２バッテリーＢ２をパルス電流Ｐの通電により略満了状態に充電することができる。
【００３７】
以上のように、通電切換え装置４の切換え動作により、電源２から供給される電流Ａを各バッテリーＢ１，Ｂ２に対して逆位相となるように交互に通電し、各バッテリーＢ１，Ｂ２に通電される電流Ａをパルス電流Ｐにして通電する動作と、各バッテリーＢ１，Ｂ２に対する通電を所定時間Ｔ休止する動作を所定周期で何回か繰り返すので、正極板Ｂａ、負極板Ｂｂに析出したサルフェーションを確実に除去することができる。また、パルス電流Ｐの通電により分離及び分解されたサルフェーションの微粒子は電解液Ｂｄに溶解しやすく、電解液Ｂｄの比重が回復するため、未使用に近い状態にまで再生又は回復させることができる。
【００３８】
また、通電切換え時であっても、電源から供給される電流Ａが一定であるため、電源からの電流の供給開始時以外にオーバーショートＣ（突入電流）が発生するのを防止することができる。したがって、サルフェーション除去に使用される電流Ａの消耗及び消費が少なく、再生費及び充電費の低減を図ることができる。
【００３９】
また、図３に示すように、第１バッテリーＢ１と第２バッテリーＢ２との間で通電を切換える瞬間に、第１バッテリーＢ１及び第２バッテリーＢ２に接続した各スイッチ４ａ，４ｂをＯＮして、図２に示すように、第１バッテリーＢ１及び第２バッテリーＢ２の両方に対して所定時間ｔ１だけオーバーラップさせて通電してもよい。
【００４０】
オーバーラップ時間調節装置６は、第１バッテリーＢ１と第２バッテリーＢ２との両方に対して通電されるパルス電流Ｐのオーバーラップ時間ｔ１を、例えばバッテリーの種類、容量等に応じて任意の時間ｔ１に可変調節するものであり、ＰＩＣ制御回路を内蔵した制御装置５に接続され、上記ＰＩＣ制御回路のＲＯＭに格納されたプログラムに沿って、駆動及び停止を制御される。また、制御装置５の操作パネルには、オーバーラップ時間調節装置６の動作を調節、設定するスイッチやボタン等を配列している。
【００４１】
なお、オーバーラップの時間ｔ１（秒を含む時間）は、第１バッテリーＢ１及び第２バッテリーＢ２の種類、容量等に応じて任意の時間ｔ１（例えば秒単位、分単位等）に設定することができるが、１秒以下又は１秒以上等の秒単位の時間ｔ１に変更してもよい。また、通電切換え手段で切換える瞬間、例えば１秒〜数秒の時間、或いは、１／１０秒〜１／１００秒の１秒以下の時間等の秒単位の時間ｔ１だけオーバーラップさせてもよい。
【００４２】
上記構成により、第１バッテリーＢ１及び第２バッテリーＢ２の正極板Ｂａ、負極板Ｂｂに析出したサルフェーションを除去する処理と、略満了状態に充電する処理とが行え、通電切換え時であっても、各バッテリーＢ１，Ｂ２に対して通電する電流Ａが一定であるため、電源の供給開始時以外にオーバーショートＣ（突入電流）が発生することを防止でき、さらに、各バッテリーＢ１，Ｂ２に対して電流Ａが途切れることなく連続して供給されるので、電流Ａの切換え供給がスムースに行える。したがって、上述した効果に加え、各バッテリーＢ１，Ｂ２及び構成部品、周辺機器等に付与される負担が軽減され、各バッテリーＢ１，Ｂ２の延命を図ることができる。
【００４３】
図４は、２個一組の各バッテリーＢ１，Ｂ２を２組並列して通電切換え装置４に接続し、各組毎に、各組の各バッテリーＢ１，Ｂ２の正極板Ｂａ、負極板Ｂｂに析出したサルフェーションを除去する第２実施例のサルフェーション除去装置１を示す。
【００４４】
電源２から供給される電流Ａを、通電切換え装置４の切換え動作により、図中左側に配置した第１組の第１バッテリーＢ１及び第２バッテリーＢ２に対して逆位相となるように所定周期で交互に通電することによって、パルス電流Ｐとして第１バッテリーＢ１及び第２バッテリーＢ２に所定時間通電し、通電切換え装置４の第１組から第２組への切換え動作により、図中左側に配置した第１組の通電終了側の各バッテリーＢ１，Ｂ２から、図中右側に配置した第２組の通電開始側の各バッテリーＢ１，Ｂ２へ通電を切換えた後、通電切換え装置４の切換え動作により、図中左側に配置した第１組の第１バッテリーＢ１及び第２バッテリーＢ２に対して逆位相となるように所定周期で交互に通電することによって、パルス電流Ｐとして第１バッテリーＢ１及び第２バッテリーＢ２に所定時間通電し、さらに、通電切換え装置４の第２組から第１組への切換え動作により、第２組の通電終了側の各バッテリーＢ１，Ｂ２から、第１組の通電開始側の各バッテリーＢ１，Ｂ２へ通電を切換え、これを繰り返す。
【００４５】
つまり、図５に示すように、第１組の各バッテリーＢ１，Ｂ２に通電している間は、第２組の各バッテリーＢ１，Ｂ２への通電を休止又は停止して、所定時間毎（例えば、５分毎）に、２個一組の各バッテリーＢ１，Ｂ２に対する充電及び休止を交互に繰り返すので、上記第１実施例と略同等の作用及び効果を奏することができる。
【００４６】
また、パルス電流Ｐを、いずれかの組のいずれかの各バッテリーＢ１，Ｂ２に対して休みなく連続して通電するので、最小のシステム構成により、各組の各バッテリーＢ１，Ｂ２の正極板Ｂａ、負極板Ｂｂに析出したサルフェーションを除去する作業と、各組の各バッテリーＢ１，Ｂ２を満了状態に充電する作業が同時に行えるとともに、装置の設置スペースが小さくて済み、小型化を図ることができる。なお、充電と休止とを繰り返す所定時間は、例えば５分以下又は５分以上の任意の時間（秒単位、分単位等の時間）に変更してもよい。
【００４７】
また、図６に示すように、通電切換え装置４の切換え動作により、図中左側に配置した第１組の通電終了側の各バッテリーＢ１，Ｂ２から、図中右側に配置した第２組の通電開始側の各バッテリーＢ１，Ｂ２へ通電を切換える瞬間と、第２組の通電終了側の各バッテリーＢ１，Ｂ２から通電開始側の各バッテリーＢ１，Ｂ２へ通電を切換える瞬間において、パルス電流Ｐを、第１組の第２バッテリーＢ２と、第２組の第１バッテリーＢ１との両方に対して所定時間ｔ２だけオーバーラップさせて通電してもよく、通電切換え時において、各組の各バッテリーＢ１，Ｂ２に対して電流Ａが途切れることなく連続して供給されるため、電流Ａの切換え供給がスムースに行え、各バッテリーＢ１，Ｂ２及び構成部品、周辺機器等に付与される負担を軽減することができる。
【００４８】
なお、各組への切換え時の所定時間ｔ２のオーバーラップ時間は、図４に示すように、上記オーバーラップ時間調節装置６で可変調節してもよいし、また、各組への切換え時のオーバーラップ時間用の別のオーバーラップ時間調節装置を設けてもよい。
【００４９】
この発明の構成と、上述の実施例との対応において、  
この発明のバッテリーは、実施例の第１バッテリーＢ１と、第２バッテリーＢ２に対応し、  
以下同様に、
電極板は、正極板Ｂａと、負極板Ｂｂに対応し、  
通電切換え手段は、実施例の通電切換え装置４に対応し、  
制御手段は、制御装置５に対応し、  
オーバーラップ時間調節手段は、オーバーラップ時間調節装置６に対応するも、  
この発明は、上述の実施例の構成のみに限定されるものではなく、請求項に示される技術思想に基づいて応用することができ、多くの実施の形態を得ることができる。
【００５０】
本発明のサルフェーション除去装置１は、例えば３個、４個、５個等の２個以上の各バッテリーの電極板に析出したサルフェーションを除去する作業にも用いることができ、実施例の個数及び組数に限定されるものではない。
【図面の簡単な説明】
【００５１】
【図１】サルフェーション除去装置による２個の各バッテリーのサルフェーション除去を示すブロック図。
【図２】各バッテリーに通電されるパルス電流を示す波形図。
【図３】各バッテリーに通電されるパルス電流のオーバーラップを示す波形図。
【図４】サルフェーション除去装置による２組の各バッテリーのサルフェーション除去を示すブロック図。
【図５】各組の各バッテリーに通電されるパルス電流を示す波形図。
【図６】各組の各バッテリーに通電されるパルス電流のオーバーラップを示す波形図。
【符号の説明】
【００５２】
Ａ…電流
Ｐ…パルス電流
Ｂ１…第１バッテリー
Ｂ２…第２バッテリー
Ｂａ…正極板
Ｂｂ…負極板
１…サルフェーション除去装置
２…電源
３…通電量調節装置
４…通電切換え装置
５…制御装置
６…オーバーラップ時間調節装置